(57)【要約】【課題】遊技者が玉のオ−バーフロー状況を視認することができ、その溢出玉が下皿から落ちこぼれることがなく、且つ機構板を簡素化することができるパチンコ機の上皿オーバーフロー装置を提供する。【解決手段】上皿１の外周壁１１には玉の溢出口３を設け、下皿２内の遊技機６前面で底面２１直上には溢出玉の受入れ口４を設けるとともに、前記溢出口３と受入れ口４とを遊技機６の枠厚内を通過する溢出玉通路５で連通して、溢出玉を略コの字状に流下させて下皿２内に溢出玉を押出す。前記受入れ口４を下皿２内で遊技機６前面よりやや前方に設けて、溢出玉通路５を遊技機６の前面を通過させてもよい。【選択図】    図４
2005000209.tif 000002
【特許請求の範囲】
【請求項１】
遊技機の前面下部に上皿と下皿とを備えたパチンコ機の上皿オーバーフロー装置であって、上皿の外周壁には玉の溢出口を設け、下皿内の遊技機前面には溢出玉の受入れ口を設けるとともに、前記溢出口と受入れ口とを遊技機の枠厚内を通過する溢出玉通路で連通したことを特徴とするパチンコ機の上皿オーバーフロー装置。
【請求項２】
遊技機の前面下部に上皿と下皿とを備えたパチンコ機の上皿オーバーフロー装置であって、上皿の外周壁には玉の溢出口を設け、下皿内の遊技機前側には溢出玉の受入れ口を設けるとともに、前記溢出口と受入れ口とを遊技機前面を通過する溢出玉通路で連通したことを特徴とするパチンコ機の上皿オーバーフロー装置。
【請求項３】
溢出口の下縁を、溢出口に向かって上り傾斜に形成した上皿の底面とで連接した請求項１又は２に記載のパチンコ機の上皿オーバーフロー装置。
【発明の詳細な説明】
【０００１】
【発明の属する技術分野】
本発明は、パチンコ機の上皿内に賞玉などが充満した際に、余剰玉を下皿にオーバーフローさせるためのパチンコ機の上皿オーバーフロー装置に関するものである。
【０００２】
【従来の技術】
パチンコ機の遊技機の前面には上下２段に上皿と下皿とが配設されており、その間には上皿内に玉が充満した際に、余剰玉を下皿にオーバーフローさせるための上皿オーバーフロー装置が設けられている。しかし、従来のオーバーフロー装置はセット板側に設けられており、上皿、遊技機内の玉通路、セット板内のオ−バーフロー装置に至る玉通路に玉が充満した場合に、玉が自然に溢れ出して落下する構造であった。また、溢出玉を下に導く溢出玉通路もセット板に設けられていたためにセット板が大型で複雑になり、機構板側の機構部品の装着スペースが狭くなってしまい、大型化、多様化する役物等の機構部品の取り付けスペースを十分確保することができない、機構部品の取付け、保守点検の作業が面倒になるという問題があった。又、オ−バーフローの状態を遊技者は視認できないものであったので、心理的に不安を感ずることがあった。
【０００３】
オ−バーフローの状態を視認することができる上皿のオ−バーフロー装置として、特開２００２−１８０６９号公報には、上皿の上部表側から玉をオ−バーフローさせて下皿に直接導く玉抜き通路を設けたものが開示されている。しかし、このオ−バーフロー装置は構造が単純過ぎて面白みに欠けるうえに、溢出玉が下に向けて上方から落下するので、下皿底面や人の手に当ったりして跳ね返り下皿から落ちこぼれるという問題があった。
【０００４】
【特許文献１】特開２００２−１８０６９号公報（図２）
【０００５】
【発明が解決しようとする課題】
本発明は上記した従来の問題点を解決し、遊技者が玉のオ−バーフロー状況を視認することができ、その溢出玉が下皿から落ちこぼれることがなく、且つ機構板を簡素化することができるパチンコ機の上皿オーバーフロー装置を提供するためになされたものである。
【０００６】
【課題を解決するための手段】
上記の課題を解決するためになされた本発明のパチンコ機の上皿オーバーフロー装置は、遊技機の前面下部に上皿と下皿とを備えたパチンコ機の上皿オーバーフロー装置であって、上皿の外周壁には玉の溢出口を設け、下皿内の遊技機前面には溢出玉の受入れ口を設けるとともに、前記溢出口と受入れ口とを遊技機の枠厚内を通過する溢出玉通路で連通したことを特徴とするものである。
【０００７】
また、遊技機の前面下部に上皿と下皿とを備えたパチンコ機の上皿オーバーフロー装置であって、上皿の外周壁には玉の溢出口を設け、下皿内の遊技機前側には溢出玉の受入れ口を設けるとともに、前記溢出口と受入れ口とを遊技機前面を通過する溢出玉通路で連通したことを特徴とするものである。
なお、溢出口の下縁を、溢出口に向かって上り傾斜に形成した上皿の底面とで連接するのが望ましい。
【０００８】
【発明の実施の形態】
以下に図面を参照しつつ本発明の好ましい実施形態を説明する。
図１はパチンコ機の遊技機下部を示す正面図、図２は遊技機の上皿上部における水平断面図、図３は下皿上端部の水平断面図である。また、図４は本発明のオ−バーフロー装置の要部を示す図であって、図１におけるＢ−Ｂ線断面図である。図中１は上皿、２は下皿であって、これらは遊技機６前面にビスなどにより取り付けられている。また、３はオ−バーフロー玉の溢出口であって、上皿１の外周壁１１に設けられている。４は下皿の溢出玉受入れ口であって、溢出口３と受入れ口４とは溢出玉通路５で連通されている。
【０００９】
また、図５は図１中のＡ−Ａ線断面図であって、玉払出し装置７による賞玉、貸し玉の払い出し機構を示す。すなわち、大当りなどが発生して玉が入賞した時には、遊技機６裏面上部に設けた玉タンク（図示していない）から玉払出し装置７に送り込まれた玉は、ローター７１により一球ずつ送出されるが、玉数は計数センサー７２により計数されて所定数の玉が玉払出し通路７３から玉払出し口７４を通って上皿１に送り込まれる。
【００１０】
上皿１の底面１２は玉払出し口７４から操作ハンドル９３側の玉供給口９４にかけて低く傾斜している。したがって、上皿１に送り込まれた玉は下流に流下して、図６に示す玉送り装置８により１球ずつ送出されて、図７に示す玉発射装置９に供給される。玉発射装置９は発射レール９１の所定位置に送り込まれた玉を弾球槌９２により発射するので遊技を行うことができる。遊技が続行された結果、大当りのラウンドが繰り返されるなどして上皿１に大量の玉が貯留されて上皿１の収容能力を超えた場合には、余剰玉は溢出口３から溢れ出すこととなる。図４に示したように、溢出口３は上皿１の外周壁１１手前側に設けられているが、溢出口３の下縁を、溢出口３に向かって上り傾斜に形成した底面１２とで連接してある。したがって、上皿１に充満した玉は玉圧により傾斜した底面１２を押し上げられて溢出口３から溢れ出すので、上皿１内の貯留玉を常に一定に保つことができる。
【００１１】
溢出口３には溢出玉通路５が連接されており、この溢出玉通路５は下皿２内の遊技機６前面で底面２１直上に設けた溢出玉の受入れ口４に連通している。図４において、溢出玉通路５は発射不良の戻り玉の流路５１と合流されて遊技機６外枠の枠厚内を通過している。したがって、上皿１からの溢出玉は溢出口３から遊技機６後方に向けて流下し、枠厚内で下方に落下したのち溢出玉通路５下部で前方に流下するという略コの字形の流れとなって下皿２に流れ込む。下皿２内において玉は前に流れ込んだ玉を前方に押出しつつ流れ込むので、玉が下皿２から跳ね返ったり人手にぶつかったりして下皿２から飛び出すようなことはない。溢出玉通路５を発射不良の戻り玉の流路５１と合流させたので、溢出玉通路５を簡素に設けることができる。また、溢出玉通路５を遊技機６機枠の枠厚内に収めたので、遊技機６後方のスペースを広く取ることができる。
【００１２】
また、図８に示すように、溢出玉の受入れ口４を下皿２内の遊技機６前側、即ち下皿２内で遊技機６前面よりやや前方で底面２１直上に設けるとともに、溢出口３と受入れ口４と連通する溢出玉通路５を遊技機６前面を通過させることによっても遊技機６後方のスペースを広く取ることができる。この場合溢出玉通路５と発射不良の戻り玉流路５１とは受入れ口４付近にて合流している。
なお、図９は図１におけるＣ−Ｃ線断面図であって、入賞しないアウト玉の回収路１０を示す。図１０は同じく図１におけるＤ−Ｄ線断面図であって、上皿１に貯留された玉の玉抜き路２０を示す。図１１は図８におけるＪ−Ｊ線断面図であって、前記アウト玉の回収路１０と玉抜き路２０を示す図である。
【００１３】
【発明の効果】
以上に説明したように、本発明のパチンコ機の上皿オーバーフロー装置は、上皿の外周壁に玉の溢出口を設けたので、遊技者が玉のオ−バーフロー状況を視認することができるので、安心して遊技に専念できる。下皿内の遊技機前面には溢出玉の受入れ口を設けて、前記溢出口と受入れ口とを連通する溢出玉通路を遊技機枠厚内を通過させたので、溢出玉は遊技機の後方から前方に向けて押出されるので、下皿底面などにより跳ね返されたりして下皿から落ちこぼれることがない。さらに、機構板を簡素化して遊技機裏側のスペースを広く確保することができるという大きな利点がある。
また、前記受入れ口を下皿内で遊技機前面よりやや前方に設けて、溢出玉通路を遊技機の前面に通過させても、同様の効果を得ることができる。
【図面の簡単な説明】
【図１】上皿、下皿を切断して示す遊技機下部の正面図である。
【図２】図１のＦ−Ｆ線断面図である。
【図３】図１のＧ−Ｇ線断面図である。
【図４】図１のＢ−Ｂ線断面図である。
【図５】図１のＡ−Ａ線断面図である。
【図６】図１のＥ−Ｅ線断面図である。
【図７】図４のＩ−Ｉ線断面図である。
【図８】第２の実施形態の上皿オーバーフロー装置を示す側面の断面図である。
【図９】図１のＣ−Ｃ線断面図である。
【図１０】図１のＤ−Ｄ線断面図である。
【図１１】図４のＪ−Ｊ線断面図である。
【符号の説明】
１  上皿
２  下皿
３  玉の溢出口
４  溢出玉の受入れ口
５  溢出玉通路
６  遊技機
１１  外周壁
２１  下皿の底面
【図１】
2005000209.tif 000003
【図２】
2005000209.tif 000004
【図３】
2005000209.tif 000005
【図４】
2005000209.tif 000006
【図５】
2005000209.tif 000007
【図６】
2005000209.tif 000008
【図７】
2005000209.tif 000009
【図８】
2005000209.tif 000010
【図９】
2005000209.tif 000011
【図１０】
2005000209.tif 000012
【図１１】
2005000209.tif 000013